(57)【要約】      （修正有）【課題】分解などして小さくして持ち運ぶことができ、展示会場などの花器の設置場所では、所望の形状に組立てることができ、保管する際には場所を取らず、使用する棒状部材の組み合わせ、組み方などを変えることにより、花器を組立てる度に、種々の形状に形成することができ、また、組立てる際に、載置面における台部の置き方、向きを変えることによって、組立てる花器の形状の自由度をより広げることも可能な組立式花器を提供する。【解決手段】屈曲部２ａを有する棒状部材２と、板材からなる立体的な形状を有し、且つ棒状部材２が挿通可能な多数の挿通孔１ａが開設された台部１０とを備え、台部１０の任意の位置の挿通孔１ａに棒状部材２を挿通させて、棒状部材２が所望の形状を維持可能となるように台部１０に着脱可能に取り付けて組立てる組立式花器Ａ。【選択図】図１
0003183924.tif 000002
【実用新案登録請求の範囲】
【請求項１】
屈曲部を有する棒状部材と、板材により形成される立体的な形状を有し、且つ上記棒状部材が挿通可能な多数の挿通孔が開設された台部とを備え、該台部の任意の位置の挿通孔に上記棒状部材を挿通させて、上記棒状部材が所望の形状を維持可能となるように上記台部に着脱可能に取り付けて組立てることを特徴とする組立式花器。
【請求項２】
上記台部における上記挿通孔の開設数が、該台部に取り付ける上記棒状部材の本数の３倍以上である請求項１に記載の組立式花器。
【請求項３】
上記台部が、複数の板材を前後及び／又は左右方向に非対称な立体形状を形成するように組み合わせて、立設可能に形成されてなる請求項１又は２に記載の組立式花器。
【請求項４】
上記台部が、それぞれ立体的な形状を形成するように成形された複数の板材を順次重ね合わせ、これらの板材をそれぞれ回動可能となるように上記重ね合わせ部分で軸止してなる請求項１又は２に記載の組立式花器。
【請求項５】
上記挿通孔の壁と上記棒状部材との間に介在させる弾性素材からなる略リング状部材を備えた請求項１乃至４のいずれか１項に記載の組立式花器。
【請求項６】
上記棒状部材の長さ方向の一部に螺旋状の線状体を取り付けた請求項１乃至５のいずれか１項に記載の組立式花器。
【請求項７】
上記組立式花器に着脱自在に取り付ける保水容器を備えた請求項１乃至６のいずれか１項に記載の組立式花器。
【考案の詳細な説明】
【技術分野】
【０００１】
本考案は、棒状部材を台部に所望の形状となるように取り付けて花器として組立てることによって、生け花などに好適に使用することができる組立式花器に関する。
【背景技術】
【０００２】
従来、生け花などに使用される花器としては、ガラス製花器、陶磁器製花器、鉄製花器などの金属製花器等が使用されているが、いずれも所定の形状に作り上げられた状態で市販されている。このように成形された花器は、保管する時や輸送する際に大きなスペースを必要としたりすることから、種々の組立式の花器が提案されており、例えば、特許文献１には、小さなスペースで保管・輸送が可能な折り畳み方式の組立花器が提案されている。また、特許文献２には、種々の形態に構成することができ、特に生け花に用いる花器に好適な組立用容器として、容器の外周面に、相互に着脱自在に結合する嵌合部を形成した組立用容器が提案されている。しかしながら、更に、これらの提案に対しても、持ち運びが容易であり、且つ花器の形状の自由度にもより優れる組立式花器が要望されていた。
【先行技術文献】
【特許文献】
【０００３】
【特許文献１】特開２０１０−１５８５０４号公報
【特許文献２】登録実用新案第３０１４４７６号公報
【考案の概要】
【考案が解決しようとする課題】
【０００４】
本考案は、上記事情に鑑みなされたもので、例えば、展示会場などに持っていく際には、分解などして小さくして持ち運ぶことができ、展示会場などの花器の設置場所では、所望の形状に組立てることができ、保管する際には、場所を取らないのみならず、使用する棒状部材の組み合わせ、組み方などを変えることにより、花器を組立てる度に、種々の形状に形成することができ、また、組立てる際に、載置面における台部の置き方、向きを変えることによって、組立てる花器の形状の自由度をより広げることや花器の形状に対応したいわゆる「おとし」を必要な位置に設置することも可能な組立式花器を提供することを目的とする。
【課題を解決するための手段】
【０００５】
本考案は、上記目的を達成するため、屈曲部を有する棒状部材と、板材により形成される立体的な形状を有し、且つ上記棒状部材が挿通可能な多数の挿通孔が開設された台部とを備え、該台部の任意の位置の挿通孔に上記棒状部材を挿通させて、上記棒状部材が所望の形状を維持可能となるように上記台部に着脱可能に取り付けて組立てることを特徴とする組立式花器を提供する。ここで、本考案において、棒状部材を台部の挿通孔に挿通させて、所望の形状を維持可能となるように台部に取り付けて組立てる手段としては、挿通孔に挿通した棒状部材の屈曲部乃至は屈曲部近傍が挿通孔に引っ掛かった状態となって、棒状部材が挿通孔内に挿通した状態を維持した状態で留められて、換言すれば、棒状部材が挿通孔内に挿通した状態を維持した状態で挿通孔に係止されて、棒状部材が所望の形状を維持可能となっていたり、一の棒状部材と他の棒状部材が互いの屈曲部、又は、一方の屈曲部により絡み合った状態となって、互いの重みも加わって各棒状部材が挿通孔内に挿通した状態を維持した状態で留められて、所望の形状を維持可能となっていたり、挿通孔に挿通した棒状部材の屈曲部が、例えば、展示場の花器を飾る台座などの載置面に当接した状態となり、それが支えとなって、棒状部材が挿通孔内に挿通した状態を維持した状態で留められて、台部の上で所望の形状を維持可能となっていたり、又は、後述する構成例のように、適宜、係止又は形状維持の補助具を併用する、というように、種々の態様で台部に取り付けた状態が挙げられる。また、本考案の組立式花器は、花類の飾りつけに利用するのみならず、装飾用花器として使用することもできる。更に、飾り付ける花類としては、例えば、生け花に使用される切り花、枝、葉類、枝などの他、造花、ドライフラワーなどが挙げられる。なお、本考案の組立式花器は、それぞれ任意の位置に屈曲部を有する棒状部材を備えている限り、その他の棒状部材として、屈曲部が形成されていない棒状部材を併用することもできる。
【０００６】
本考案によれば、屈曲部を有する棒状部材、換言すれば、棒状部材の適宜箇所を適宜方向に折り曲げることにより屈曲部が適宜箇所に形成された棒状部材と、板材からなる立体的な形状を備え、且つ棒状部材が挿通可能な多数の挿通孔が開設された台部とを備え、該台部の任意の位置の挿通孔に棒状部材を挿通させて、棒状部材が所望の形状を維持可能となるように台部に着脱可能に取り付けることによって、本考案の組立式花器を組立てるので、所望の形状の花器を容易に組立てることができる。そして、例えば、花器の保管時、運搬時には、台部から棒状部材を外し、台部と棒状部材を分解した状態で保管、運搬することができ、再度、花器を展示したり、使用する場合には、例えば、その場で、展示場の台座などの載置面上に載置した台部の前回とは異なる任意の位置の挿通孔に棒状部材を着脱自在に挿通させて、所望の形状を維持可能となるように台部に取り付けることによって、前回とは異なる形状の花器を組立てることもでき、その時々で所望の種々の形状の花器を容易に組立てることができる。ここで、本考案において、台部に開設される多数の挿通孔とは、例えば、棒状部材を台部に取り付ける際に、台部に取り付ける位置をその時々で任意に選択できる程度の数であり、その数は、台部の大きさ、棒状部材の使用本数、屈曲部の数などにより適宜選定されるものであるが、開設数としては、例えば、棒状部材が形成する所望の形状として３通り以上の形状を形成可能な開設数であることが望ましく、また、例えば、台部における挿通孔の開設数が、台部に取り付ける棒状部材の本数に対して多数であることが望ましいことから、台部に取り付ける棒状部材の本数の３倍以上の個数、即ち、台部における挿通孔の開設数が棒状部材の取付本数の少なくとも３倍以上となるように開設されていると、棒状部材を挿通させる台部の位置の選択幅が広くなり、組立てる花器の形状、組立てる形状のバリエーションを広げることができる。なお、挿通孔の開設数の上限は、特に制限されるものではなく、台部としての強度、作業性などを考慮して適宜選定することができる。
【０００７】
本考案の台部としては、板材からなる立体的な形状を有し、多数の挿通孔を開設可能なものであれば、その形状は特に制限されず、例えば、一枚の板材を適宜形状に折り曲げて、又は、複数の板材を組み合わせて前後左右方向に対称な立体的な形状としたものでもよいが、複数の板材を前後及び／又は左右方向に非対称な立体形状を形成するように組み合わせて、立設可能に形成されたものであると、例えば、台部を展示場の台座などの載置面上に設置する際に、台部の向き、角度を適宜変えて、各板材の角部、厚み（辺）、面などを多様な状態で設置面に当接させて、載置面上に立設可能とすることができるので、花器を組立てる際に、花器の形状の選択の自由度をより大きくすることが可能となる。一方、台部が、それぞれ立体的な形状を形成するように成形された複数の板材を順次重ね合わせ、これらの板材をそれぞれ回動可能となるように重ね合わせ部分で軸止してなるもの、換言すると、複数の板材を順次重ね合わせ、その重ね合わせ部分に軸孔を開設し、その軸孔に軸体、針金などを挿通して重ね合わせ部分を閉じ合わせて、各板状部材を扇開きのように広げることができるようにしたものであれば、例えば、運搬、保存時には、台部から棒状部材を取り外し、更に、その台部を畳んだ状態、又は、閉じた状態としておき、組立時、使用時には、扇のように開くことによって、台部を展示場の台座などの載置面の上で立設可能な形体とすることができる。
【０００８】
また、挿通孔の壁と棒状部材との間に介在させる軟質ゴム、軟質樹脂、ある程度の弾性を有する硬質ゴム、硬質樹脂などの弾性素材からなる略リング状部材を備えたものであると、例えば、台部及び棒状部材が鉄などの金属製のものであっても、組み立て使用時に、これらの間の滑り止めとなって、係止又は留めた状態を維持し易くなる。そして、上記棒状部材の長さ方向の一部に螺旋状の線状体を取り付けたものであると、組み立て使用時に、一の棒状部材の線状体の取り付け位置と他の棒状部材の取り付け位置を合わせることによって、これらが交差した形状の花器を組立てる際に、取り付けられた線状体が滑り止めとなって、形状を維持し易くなったり、棒状部材を挿通孔に挿通させる際に、線状体の取り付け位置を例えば挿通孔の手前に合わせると、係止又は留めた状態を維持し易くなる。そして、線状体の取り付け位置を棒状部材の端部側にすると、例えば、花器を組立てる際に、その取り付け部分又はその近傍が載置面に接するようにすると、線状体を載置面に対する滑り止めとして作用させることができる。なお、棒状部材の長さ方向の一部に螺旋状の線状体を取り付ける態様としては、上述したような作用を呈するような態様であれば良く、例えば、予め螺旋状に成形した線状体の螺旋の中に棒状部材の長さ方向の一部を挿通させた状態で線状体を棒状部材に固着したり、又は、屈曲部と屈曲部との間に挟み込んだり、予め螺旋状に成形した線状体を棒状部材の長さ方向の一部に寄り添わした状態で線状体を棒状部材に固着したり、棒状部材の長さ方向の一部に巻き付け可能な適宜材質からなる線状体を螺旋状に巻き付ける態様などが挙げられる。更に、組立式花器に着脱自在に取り付ける保水容器を備えたものであれば、組立てた花器に生花を生ける場合に、給水することができ、着脱自在であることから、生花を花器に生ける場合に、従来の例えばいわゆるおとし（保水容器）を固設して成形された鉄製花器に比べて生け方の自由度が格段に大きくなる。そして、例えば、保水容器に収容する吸水材料として吸水性樹脂からなり、水を吸ってジェル状になる保水剤を利用すると、生花を生ける際に、保水容器を斜めに取り付けても容器から保水剤がこぼれることがなく、生け方の自由度を更に向上させることができる。
【考案の効果】
【０００９】
本考案によれば、例えば、展示会場などに持っていく際には、分解などして小さくして持ち運ぶことができ、展示会場などの設置場所では、花器を設置する台座などの載置面上で所望の形状の花器に組立てることができ、保管する際には、場所を取らないのみならず、使用する棒状部材の組み合わせ、組み方などを変えることにより、種々の形状の花器を形成することができ、また、組立てる際に、載置面における台部の置き方を変えて、組立てる花器の形状の自由度をより広げることも可能であり、生け花に使用する場合に、生け方の自由度を更に大きくすることも可能な組立式花器が得られる。更に、本考案によれば、装飾性、意匠性に優れた組立式花器が得られるので、単独で飾り付けて、観賞用の花器としても使用できる。
【図面の簡単な説明】
【００１０】
【図１】本考案の組立式花器の第一構成例を説明する組立式花器の概略斜視図である。
【図２】上記組立式花器の台部の概略斜視図である。
【図３】本考案の第二構成例に係る組立式花器の台部の概略斜視図である。
【図４】上記台部を応用した組立状態を説明する台部の概略斜視図である。
【図５】本考案の第三構成例に係る組立式花器の台部の概略斜視図である。
【図６】本考案の第四構成例に係る組立式花器の台部の運搬時の状態を説明する概略構成図である。
【図７】上記組立式花器の組立例を説明する組立式花器の概略構成図である。
【図８】本考案の組立式花器に使用する略リング状部材の一構成例を説明するために略リング状部材の取り付け部分を拡大して示した概略縦断面図である。
【図９】本考案の組立式花器に使用する保水容器の一構成例を説明するために保水容器の取り付け部分を拡大して示した概略側面図である。
【考案を実施するための形態】
【００１１】
以下、本考案につき図面を参照にして更に詳しく説明する。図１は、本考案の組立式花器の第一構成例に係る組立式花器Ａの構成を説明するために、組立てた状態の組立式花器Ａを斜め上方から観た状態を示した概略斜視図であり、図２は、組立式花器Ａの構成を説明するために、組立式花器Ａの台部から棒状部材を取り外し、斜め上方から見た状態を示した台部の概略斜視図である。
【００１２】
図中Ａは、組立式花器であり、１０は台部、２は棒状部材である。台部１０は、種々の大きさ、形状の７枚の三角形状の板材１１〜１７により左右前後方向に非対称な立体形状に形成されている。なお、以下の構成例においては、鉄製板材、鉄製棒状部材を使用した。各板材１１〜１３、１５〜１７には、それぞれ適宜数の挿通孔１ａが開設されて、多数の挿通孔１ａが開設された台部１０を形成しており、板材１４は、載置面Ｓに接面し、板材１１〜１３、１５〜１７はそれぞれ載置面Ｓ上に対して略垂直方向に立ち上がった状態で、各三角形状の各底辺が載置面Ｓに接した状態で組み合わされている。そして、各板材は、図２に示すように、互いに接する箇所１ｂが溶接されて固着され、立設可能な台部１０として形成されている。そして、３本の棒状部材２は、それぞれ適宜箇所で適宜方向に折れ曲がった複数個の屈曲部２ａを有している。
【００１３】
ここで、本考案において、板材の材質は、特に制限されるものではないが、花器の台部としての強度、安定性、花器を組立てる材料としての取り扱い易さなどを考慮すれば、鉄、ステンレスなどの金属製板材（鋼板）が好適であり、特に、鉄製板材、ステンレス製板材などがより好適である。また、板材の形状も特に制限されるものではなく、三角形、四角形などの多角形であっても、円形であってもよく、例えば、三角形板材と四角形板材を組み合わせて使用してもよい。そして、台部に開設される挿通孔の数は、台部の任意の位置の挿通孔に棒状部材を挿通させて所望の形状とすることができるように多数であればよいが、上述したように、取り付ける棒状部材の本数と関連させた場合、台部に取り付ける棒状部材の本数の３倍以上であると、好適であり、より好ましくは４倍、更に好ましくは５倍であると、より好適である。なお、棒状部材の取り付けの自由度や、例えば、板材として鉄板などの鋼板を使用した場合の花器の軽やかさ、軽量感などの外観、印象などを考慮すれば、できるだけ多数の挿通孔を開設することが望ましいことから、台部に開設される挿通孔数の上限は特に制限されるものではなく、製作効率、取り扱い性などを考慮して適宜選定することができ、一方、花器の台部としての強度を考慮すれば、台部として形成された時に台部としての強度を維持でき、また、孔がつぶれない程度の間隔を設けて、板材に開設されていると好適である。なお、図１〜７では、挿通孔の開設数、間隔は模式的に示したものである。挿通孔の大きさは、棒状部材の径よりは大径となるように、棒状部材の径、後述するような係止又は留めの補助具の使用の有無などに合わせて、適宜設定することができるが、挿通のし易さ、形状維持のし易さなどを考慮すれば、挿通孔の径が棒状部材の径の好ましくは１．１〜１．５倍、より好ましくは１．１〜１．３倍程度の大きさとすると、好適である。挿通孔の開設方法は、特に制限されるものではなく、板材の材質に合わせた常法により開設することができる。なお、上記第一構成例の板材１３、１４、後述する第三構成例の板材３２、３４のように挿通孔が開設されていない板材を併用することもできる。板材の厚さなどは、通常、鉄製花器の材料として使用されている鉄板と同程度の厚さが好適である。また、鉄製板材などの板材に適宜、塗装を施したものを使用することもできる。塗装を施す場合、塗装方法は特に制限されるものではなく、板材の材質に合わせた常法により塗装をすることができる。
【００１４】
本考案において、複数の板材により台部を形成する場合、板材の大きさ、組み合わせる枚数も特に制限されるものではなく、目的とする花器の大きさなどによって適宜選定することができる。また、複数の板材を立体的に組み合わせて、立設可能な台部を形成する場合、例えば、板材が鉄板であれば、所定形状に組み合わせた各鉄板の互いに接する部分を溶接して、各鉄板を固着してもよく、また、例えば、各鉄板に鉄板の厚みに対応させた幅を有する切り込みを入れ、一の鉄板を交差する他の鉄板の切り込みに差し込んで嵌め合わせ、複数の鉄板により所望の形状となるように、順次、組み合わせて、上述したように交差する他の鉄板の切り込みに差し込んでいくことによって、所期の形状の台部を形成することもできる。
【００１５】
本考案において、台部の構成は、上記構成に限定されるものではなく、例えば、図３、４に示す第二構成例のように四角形の板材を組み合わせたものであってもよい。図３は、本考案の第二構成例の台部２０を載置面Ｓに置き、斜め上方から観た状態を示した概略斜視図であり、図４は、台部２０の向きを変えて載置面Ｓに置いた状態を斜め上方から観た状態を示した概略斜視図である。第二構成例の台部２０は、種々の大きさ、形状の６枚の四角形状の板材２１〜２６により、左右前後方向に非対称な形状となるように形成されている。各板材２１〜２６には、それぞれ多数の挿通孔１ａが適宜間隔で離間されて開設されており、互いに接する箇所１ｂが溶接されて固着され、多数の挿通孔１ａが開設された立設可能な台部２０として形成されている。そして、台部２０は、図３に示す状態では、板材２１が載置面Ｓに一の角部が接し、板材２４〜２６はそれぞれ載置面Ｓに対して略垂直方向に立ち上がった状態で、各四角形状の各長辺（底辺）が載置面Ｓに接しており、板材２２、２３は、載置面Ｓと接してなく、浮いた状態で組み合わされて載置面Ｓ上に載置されている。また、図４は、台部２０を図３の状態から回転させて載置面Ｓ上に向きを変えて載置して使用する一例を示したものであり、板材２４、２５が載置面と接してなく、浮いた状態で、板材２１〜２３、２６がそれぞれ載置面Ｓに対して斜め上方向に立ち上がった状態で、各四角形状の一の角部が載置面Ｓに接した状態で組み合わされて、載置面Ｓ上に立設された状態で載置されている。上記第一構成例の組立式花器、以下の第三構成例、第四構成例の台部を使用した組立式花器も同様に種々の向き、角度にして台部を立設、載置することができる。
【００１６】
本考案の台部は図５に示す台部３０のように、折り曲げた板材を平板状の板材に組み合わせたものであってもよい。図５に示す台部３０は、種々の大きさ、形状の５枚の三角形状の板材３１〜３５により構成されている。各板材３１、３３、３５には、それぞれ多数の挿通孔１ａが開設されており、板材３１、３３は、折曲部１ｃ、１ｃが形成されて、それぞれ図面上方から観た場合、略く字型となるように折り曲げられている。板材３２、３４は、載置面Ｓに接面し、板材３１、３３は、それぞれ載置面Ｓに対して折曲部１ｃ、１ｃが略垂直方向に立ち上がった状態でそれぞれ一の角部が載置面Ｓに接しており、板材３５が載置面Ｓに対して斜め上方向に立ち上がった状態で組み合わされている。そして、各板材は、互いに接する箇所１ｂが溶接されて固着され、多数の挿通孔１ａが開設された立設可能な台部３０として形成されている。なお、この構成例のように、板材を折り曲げて使用する場合、折り曲げ加工する方法は、特に制限されず、使用する板材の材質に合わせて、その常法により加工することができる。
【００１７】
本考案の台部は、図６、７に示すように、それぞれ立体的な形状を形成するように成形された複数の板材を順次重ね合わせ、これらの板材をそれぞれ回動可能となるように重ね合わせ部分で軸止したものであってもよい。図６は、本考案の第四構成例の組立式花器の台部４０の概略構成図であり、図７は、第四構成例の組立式花器Ｂの使用例を説明する概略構成図である。台部４０は、それぞれ長さが異なる三枚の四角形長板状の板材４１、４２、４３を長さ方向端部近傍で軸止めしたものである。板材４１、４２、４３は、それぞれ適宜間隔を設けて長さに合わせた数の挿通孔１ａが多数開設されており、それぞれ長さ方向に向けて、段階的に斜めにねじり上げた状態にすることによって、立体的な形状に成形されて、多数の挿通孔１ａが開設された台部４０を構成している。台部４０は、板材４１、４２、４３の順番で、それぞれ長さ方向一端部側が積み重なった状態で重ね合わされて重ね合わせ部１ｄが形成されており、その重ね合わせ部１ｄの適宜箇所に図示しない軸孔が開設されており、その軸孔に針金を軸止部材１ｅとして挿通させ、重ね合わせ部の上下面で結び目を作って各板材４１、４２、４３を軸止した状態にして、図７に示すように軸止部分を軸中心として各板材４１、４２、４３がそれぞれ扇が開くように回動自在に形成されている。
【００１８】
この台部４０は、保管時、移動時などの常時は、図６に示すように閉じた状態にしておき、展示場などで花器を組立てて使用する時（花器の組立て時）には、図７に示すように、三方向に広げ、適宜数の棒状部材２を各挿通孔１ａに挿通させ、各棒状部材２の屈曲部２ａ又は屈曲部２ａ近傍を台部４０の挿通孔１ａの内壁に当接させたり、挿通孔１ａに挿通させた棒状部材２の端部を載置面Ｓに当接させることによって、台部４０を載置面Ｓ上に倒れないように立設することによって、組立式花器Ｂの形状を固定すると共に、板状部材４１、４２、４３の形状、即ち、台部４０の形状も固定することができる。この台部４０によれば、広がり具合などの台部としての形状も適宜変更して花器を組立てることができる。なお、このような構成の台部の場合、組み合わせる板材の数は、特に制限されず、取り扱い性などを考慮して適宜選定することができる。また、板材の形状も特に制限されるものではなく、例えば、一方向に長くなるように形成された三角形長板状などの板材であってもよい。更に、重ね合わせ部も各板材の長さ方向の中間部であってもよく、板材を立体的な形状にする手段としては、長さ方向に沿って先端側（重ね合わせ部の反対側の端部）を上方向に湾曲させたり、長さ方向に沿って段階的に上方に折り曲げていって、一端部側（重ね合わせ部側）から他端部側に向けて板材が持ち上がったような形状となるようにすることもできる。このように立体的な形状となるように板材を成形加工する方法は、特に制限されるものではなく、使用する板材の材質に合わせた常法により成形加工することができる。そして更に、軸止の手段も特に制限されるものではなく、扇に使用されるような軸止用の金属製ピンを利用することもできる。
【００１９】
上記第一構成例〜第四構成例の組立式花器は、図１、図７に示すように、載置面Ｓ上に台部１０、４０を載置し、それぞれ適宜方向に向けて折り曲がった屈曲部２ａをそれぞれ適宜位置に有する各棒状部材２を各挿通孔１ａに挿通させて、挿通孔１ａに係止又は挿通孔１ａ内に留めることによって、各棒状部材２が所望の形状を維持可能となるように台部１０、４０に着脱可能に取り付けて組立てることができる。なお、棒状部材は、所望の形状を維持できる限り、必ずしも２箇所の挿通孔に亘って挿通させる必要はなく、また、挿通孔に挿通させない棒状部材があってもよい。そして、本第二構成例、第三構成例の組立式花器も、図３〜５に示した台部２０、３０に同様に適宜数、適宜形状の棒状部材を所期の形状を形成するように着脱可能に取り付けることによって花器として組立てることができる。ここで、本考案において、棒状部材の材質は、所望の形状を維持できる程度の剛性、強度を有する材質であれば、特に制限されるものではないが、花器としての強度、花器を組立てる材料としての取り扱い易さなどを考慮すれば、鉄、ステンレスなどの金属製の棒状部材が好適であり、特に、鉄製棒状部材がより好適である。なお、本考案の組立式花器は、板材と棒状部材の材質として異なる材質のものを組み合わせてもよいのは、勿論であり、例えば、台部を形成する板材として鋼板を用い、棒状部材をプラスチック製棒状部材とすることもできる。棒状部材の長さ、径なども特に制限されず、取り扱い易さ、組み合わせる台部の大きさ、折り曲げ加工などの成形し易さなどを考慮して適宜選定することができる。一の棒状部材に形成される屈曲部の数も、特に制限されず、使用する棒状部材の長さなどに合わせて適宜選定することができるが、複数、即ち、２箇所以上の屈曲部が形成された棒状部材を備えていると、より好適である。なお、屈曲部の数の上限は特に制限されるものではなく、例えば、棒状部材の長さ、形成しようとする花器の形状などに合わせて適宜選定することができる。また、複数の屈曲部を有する棒状部材の使用本数も適宜選定することができるが、デザイン性などを考慮すれば、好ましくは２本以上、より好ましくは３本以上の棒状部材を組み合わせて使用すると、より好適である。棒状部材の使用本数の上限も、特に制限されるものではなく、例えば、組み合わせる台部の挿通孔の開設数などに合わせて適宜選定することができる。なお、棒状部材に屈曲部を形成する方法は、特に制限されるものではなく、使用する棒状部材の材質に合わせた常法により折り曲げ成形加工することができる。また、棒状部材も、適宜、塗装したものを使用することができる。
【００２０】
ここで、本考案において、棒状部材を台部の任意の位置の挿通孔に挿通させて、所望の形状を維持可能となるように台部に取り付けて組立てるとは、上述したように、挿通孔に挿通した棒状部材の屈曲部乃至は屈曲部近傍が挿通孔に引っ掛かった状態で留められて、棒状部材が所望の形状を維持可能となっていたり、一の棒状部材と他の棒状部材が絡み合った状態となって、互いの重みも加わって各棒状部材が挿通孔内に留められて、所望の形状を維持可能となっていたり、挿通孔に挿通した棒状部材の屈曲部が、例えば、展示場の花器を飾る台座などの載置面に当接した状態となり、それが支えとなって、挿通孔内に挿通された棒状部材が台部の上で所望の形状を維持可能となっていたり、というように、種々の態様で台部に取り付けた状態が挙げられるが、上述したように、例えば、図１に示すように、係止又は留めの補助具として、棒状部材の色に合わせたカラー針金などを結束部材２ｃとして利用して、一対の棒状部材２，２の交差した箇所を結束部材２ｃにより結び止めることもできる。また、図１、図７に示すように、螺旋状に成形した線状体２ｂを棒状部材２の長さ方向の適宜箇所、より具体的には、一の屈曲部２ａとその次に形成された屈曲部２ａとの間の略直線部分を取り囲むように棒状部材２に巻き回した状態で取り付けておき、図示したように二本の棒状部材を線状体２ｂの取り付け部分で当接させ、線状体２ｂを滑り止めとして利用すると、所望の形状となるように棒状部材２を組み合わせて形成した形状をより維持し易くなるので、好適である。また、螺旋状に成形した線状体２ｂを、挿通孔に挿通させる際の妨げとならないように棒状部材の一端側に巻き回すように取り付けておくと、例えば、台部１０の向きを変えて他の形状を有する台部として使用する際に、この部分が載置面に当接すると、滑り止めとなり、より倒れ難くすることができる。更に、後述するように、保水容器を取り付ける際に、保水容器の取付部材を引っ掛けて保水容器を着脱可能に取り付けるために利用することもできる。ここで、本構成例の場合、２本の線状体を互いに逆方向の二重螺旋状となるように組み合わせて使用しているが、螺旋状に成形した１本の線状体を使用することもできる。また、螺旋状の線状体は、棒状部材に密着するように巻き付けてもよいが、上述したように、保水容器の取付部材を引っ掛けることも考慮すれば、棒状部材が線状体の形成する螺旋空間の中に遊挿された状態で取り付けられていると好適である。なお、螺旋状に成形する線状体としては、螺旋状に成形加工できるような太さ、剛性を有する鉄線、銅線、鋼線等の金属製線状体などの剛性線状体などが好適であり、このような線状体としては、「番線」、「ばんせん」、「バンセン」として市販されている線状体などから適宜選定して使用することができる。また、線状体は棒状部材と同色又は異色の塗装を施しても好適である。ここで、線状体を棒状部材の所望の位置に取り付けた状態で固定させる場合、例えば、線状体と棒状部材の適宜箇所を溶接するなどの手段によって取り付け位置を固定しても良いが、例えば、上述したように塗装を施す際に塗料により線状体と棒状部材の取り付け位置を固定しても良い。また、図８に示すような鍔部３ａを備えたゴムなどの弾性素材からなる略リング状部材３を板材１の挿通孔１ａ内に鍔部３ａが上になるように嵌め込んだ後、棒状部材２を挿通させて、挿通孔１ａの壁面と棒状部材２との間に略リング状部材３を介在させると、台部及び棒状部材が鉄などの金属製のものであっても、組み立て使用時に、これらの間の滑り止めとなって、所望の形状となるように挿通孔１ａに挿通させた棒状部材２の板材１（台部）への取り付け形状をより維持し易くなるので、より好適である。なお、略リング状部材３の大きさ、厚さなどは、特に制限されるものではなく、例えば、略リング状部材が軟質ゴムのように加重などにより変形し易い材質のものであれば、リング状部分の外径が挿通孔１ａの径と同程度で、内径が棒状部材２の径と同程度のものを使用すれば、挿通孔に挿通した棒状部材の角度に合わせて変形させることができる。一方、硬質ゴムなどの変形し難い弾性素材であれば、リング状部分の外径は、挿通孔１ａの径と同程度で、内径を棒状部材２の径よりも一回り大きい径、例えば、棒状部材２の径の１．０５〜１．２倍程度とすると好適である。このような弾性素材からなる略リング状部材３としては、市販されているゴム製部材などを使用することができる。
【００２１】
上記第一構成例〜第四構成例の組立式花器を、生花を生ける際に使用する形態としては、例えば、図９に示すような保水容器４にカラー針金などの取付部材４ａを巻き付け、その後端側を棒状部材に巻き付けることによって、組立式花器に保水容器４を着脱自在に取り付け、その保水容器４内に生花を保持させることができる。又は、図９に示したように棒状部材２に取り付けた螺旋状の線状体２ｂにカラー針金などの取付部材４ａの後端部を引っ掛けたり、台部に開設された挿通孔に取付部材の後端部を引っ掛けたりすることによって、組立式花器に保水容器を着脱自在に取り付け、その保水容器内に生花を保持させてもよい。なお、取付部材４ａは、後述するように、水、保水剤などを収容した保水容器に花などを生けた場合にその取り付け位置、状態を維持できるものであれば良く、その材質、形状などは特に制限されるものではない。このように組立式花器の自由な位置に保水容器を取り付けることによって、例えば、従来のいわゆるおとし（保水容器）を固設した鉄製花器に比べて、花の生け方の自由度を各段に大きくすることができる。また、組立式花器を水盤の中に載置し、剣山のようにして使用することもできる。
【００２２】
なお、このように保水容器を利用する場合には、水、オアシス、市販されている水を吸ってジェル状になる保水剤などを収容して使用することができ、特に、水を吸ってジェル状になる保水剤を収容しておけば、生花を生ける際に、保水容器を斜めに取り付けても容器から保水剤がこぼれることがなく、生け方の自由度を更に向上させることができる。また、保水容器としては、例えば、切花を買った時に使用されているプラスチック製の略筒型の保水容器などを使用することができる。また、切り花を挿通させる挿通孔が開設されたキャップを備えたものであってもよい。
【００２３】
上記構成からなる組立式花器によれば、展示会場などに持っていく際には、分解などして小さくして持ち運ぶことができ、展示会場などの設置場所では、花器を設置する台座などの載置面上で所望の形状の花器に組立てることができ、保管する際には、場所を取らないのみならず、使用する棒状部材の組み合わせ、組み方などにより、種々の形状の花器を形成することができ、また、組立てる際に、載置面における台部の置き方、向きを変えて、組立てる花器の形状の自由度をより広げることも可能であり、生け花に使用する場合に、生花の生け方の自由度を更に大きくすることもできる。そして、上記組立式花器は、それ自体が装飾性、意匠性などの外観形状にも優れているので、鑑賞用の花器としても有用である。
【００２４】
なお、本考案は、上記構成に限定されるものではなく、本考案の要旨を逸脱しない範囲で種々変更することができる。
【符号の説明】
【００２５】
Ａ、Ｂ  組立式花器
１０、２０、３０、４０  台部
１ａ  挿通孔
１ｄ  重ね合わせ部分
１、１１〜１７、２１〜２６、３１〜３５、４１〜４３  板材
２  棒状部材
２ａ  屈曲部
２ｂ  線状体
３  略リング状部材
４  保水容器
【図１】
0003183924.tif 000003
【図２】
0003183924.tif 000004
【図３】
0003183924.tif 000005
【図４】
0003183924.tif 000006
【図５】
0003183924.tif 000007
【図６】
0003183924.tif 000008
【図７】
0003183924.tif 000009
【図８】
0003183924.tif 000010
【図９】
0003183924.tif 000011